(57)【要約】      （修正有）【課題】部屋の間仕切り収納家具における引戸において、引戸を戸閉側端部付近に急速に近接させたとしても、その戸閉終了間際における引戸の速度が適正に減速されつつ良好な戸閉動作を行なう。【解決手段】長手方向の両端側に係止溝を有する棒状ケーシング１と、シリンダ部３１とピストンロッド３２とからなる緩衝ダンパ３と、シリンダ部３１の基部端及びピストンロッド３２先端にそれぞれ軸支したフック部材４と、対向する両フック部材４間に設けられた引張り弾性体５と、緩衝ダンパ３，フック部材４及び引張り弾性体５の幅方向両側付近を覆うと共にフック部材４の移動範囲に対応して上面が開口され且つ引戸１００に固着可能なカバー部材８とからなり、棒状ケーシング１は、カバー部材８に装着され、少なくとも一方側のフック部材４が前記棒状ケーシング１の係止溝に係止される。【選択図】図１
2010255299.tif 000002
【特許請求の範囲】
【請求項１】
長手方向の両端側に係止溝を有する棒状ケーシングと、シリンダ部とピストンロッドとからなる緩衝ダンパと、前記シリンダ部の基部端及び前記ピストンロッド先端にそれぞれ軸支したフック部材と、対向する両フック部材間に設けられた引張り弾性体と、前記緩衝ダンパ，前記フック部材及び前記引張り弾性体の幅方向両側付近を覆うと共に前記フック部材の移動範囲に対応して上面が開口され且つ引戸に固着可能なカバー部材とからなり、前記棒状ケーシングは、前記カバー部材に装着され、少なくとも一方側の前記フック部材が前記棒状ケーシングの係止溝に係止されてなることを特徴とする戸閉具。
【請求項２】
請求項１において、前記カバー部材の長手方向両端には、略板片状の端部取付片が形成され、該端部取付片を介して前記引戸に装着可能とされてなることを特徴とする戸閉具。
【請求項３】
請求項１又は２において、前記棒状ケーシングの中間にガイド部材が固着され、該ガイド部材のガイド部に前記シリンダ部が遊挿されて該シリンダ部は前記ガイド部材に対して摺動自在に構成されてなることを特徴とする戸閉具。
【請求項４】
請求項１,２又は３のいずれか１項の記載において、前記両フック部材間の引張り弾性体にて前記フック部材に形成された係止突起が前記係止溝に係止されてなることを特徴とする戸閉具。
【請求項５】
請求項１，２，３又は４のいずれか１項の記載において、前記フック部材は、フック部と回転基部とからなり、前記フック部は、三角状の係止部と立上り状の当接部が凹み部を介して形成され、前記両フック部材の回転基部間に前記引張り弾性体が張設されてなることを特徴とする戸閉具。
【請求項６】
請求項１，２，３，４又は５のいずれか１項の記載において、前記フック部材は、前記シリンダ部の基部端及び前記ピストンロッド先端にそれぞれ設けた取付部材に軸支されてなることを特徴とする戸閉具。
【請求項７】
長手方向の両端側に係止溝を有する棒状ケーシングと、シリンダ部とピストンロッドとからなる緩衝ダンパと、前記シリンダ部の基部端及び前記ピストンロッド先端にそれぞれ軸支したフック部材と、対向する両フック部材間に設けられた引張り弾性体と、前記緩衝ダンパ，前記フック部材及び前記引張り弾性体の幅方向両側付近を覆うと共に前記フック部材の移動範囲に対応して上面が開口され且つ引戸に固着可能なカバー部材とからなり、前記棒状ケーシングは、前記カバー部材に装着されてなる戸閉具が、引戸の表面側又は裏面側に装着され、該引戸の戸閉する両箇所付近に、前記フック部材が前記棒状ケーシングの係止溝への係止を解除する固定突起が設けられてなり、少なくとも一方側の前記フック部材が前記棒状ケーシングの係止溝に係止されてなることを特徴とする引戸の戸閉装置。
【発明の詳細な説明】
【技術分野】
【０００１】
本発明は、部屋の間仕切り又は食器棚，本棚，陳列棚，キャビネット等の種々の収納家具における引戸において、下端面に走行用の戸車が装着された引戸を戸閉側端部付近に急速に近接させたとしても、その戸閉終了間際における引戸の速度が適正に減速されつつ良好な戸閉動作を行なうことができる戸閉具及び引戸の戸閉装置に関する。
【背景技術】
【０００２】
従来より、部屋の間仕切り引戸が装着されることが多い。この引戸は、小さい間口の収納家具であれば間口箇所の上下にガイドレールが構成され、ガラス板の上下端部がそのガイドレールに挿入された極めて簡単な構造のものが備えられている。また、食器棚，本棚，陳列棚等の種々の収納家具の大形の引戸についても、同様である。そしてこのように、部屋の間仕切り引戸や、大型の家具に使用される引戸は重量も極めて大きくなっている。
【先行技術文献】
【特許文献】
【０００３】
【特許文献１】特開２００６−６３７１９
【発明の概要】
【発明が解決しようとする課題】
【０００４】
このような大型の引戸は、その重量が重いため、引戸が一旦，移動し始めるとその勢いにより、キャビネットの枠に大きな衝撃を有して衝突状に当接するおそれがある。このような状態は、間仕切り引戸を備えた高級な室内や、又は家具の品質を低下させてしまい、高級感を損ねてしまうおそれがある。さらに、部屋の仕切りとして使用される引戸では、動作に静粛さが要望されるものであり、前述したように大きな衝撃を有して戸当たりに衝突状に当接するおそれがあり、このような引戸は、高級仕様の室内では、決して相応しいものとはいえない。また、前述したような引戸の戸閉側端部における戸閉の衝突状態を防止しようとすると、結局，引戸の戸閉動作の勢いをなるべく小さくすることになり、それゆえに引戸の戸閉状態が不完全なものになりやすい。
【０００５】
このようなことも家具の品質を低下させる原因となる。さらに、引戸の戸閉動作における緩衝機能を有するものでは、その装置が大型化することが多く、それゆえに戸閉装置が引戸装置の外部に露出してしまい、余分なスペースを必要とし、且つその外観も損なうことになる。特許文献１では、特に、戸閉装置が引戸装置の外部に露出すると共に、余分なスペースを必要とし、且つその外観も損なう欠点がある。さらに、そのクローザーは、引戸の左右側にそれぞれ必要とされ、割高となる欠点がある。また、引戸を開けるときに、把手の位置によっては、引戸には移動方向にモーメントがかかり、引戸がガイドレールに対して傾斜してしまうことがあり、開閉動作が安定しにくいことがありうる。
【０００６】
さらに、戸閉具を家具の引戸装置に装着するときに、フック等の可動する部品に誤って手を触れると不必要に動作してしまい、組付作業時に作業が行いにくくなってしまうことがある。また、この種の引戸装置には、最初から戸閉装置が装着されていないものが存在する。そのために引戸の開閉は、その開閉を行う人が気をつけながら行わなくてはならないことになる。そこで、引戸装置の施工後、そのあとから戸閉具を装着しなければならない事態も生じる。しかしながら、特許文献１では、引戸装置の施工時に一緒に行わなくてはならず、あとから引戸装置に装着しようとすると、極めて面倒な工事となる。
【０００７】
このため、本発明が解決しようとする課題（技術的課題又は目的等）は、戸閉終了間際における引戸の速度を適正に減速させて、引戸開閉時における動作を良質なものとする戸閉装置を、引戸装置の施工後、いつでも装着自在とし、且つその取付も極めて簡単且つ効率的にできることを実現することである。
【課題を解決するための手段】
【０００８】
そこで、発明者は、上記課題を解決すべく、鋭意，研究を重ねた結果、請求項１の発明を、長手方向の両端側に係止溝を有する棒状ケーシングと、シリンダ部とピストンロッドとからなる緩衝ダンパと、前記シリンダ部の基部端及び前記ピストンロッド先端にそれぞれ軸支したフック部材と、対向する両フック部材間に設けられた引張り弾性体と、前記緩衝ダンパ，前記フック部材及び前記引張り弾性体の幅方向両側付近を覆うと共に前記フック部材の移動範囲に対応して上面が開口され且つ引戸に固着可能なカバー部材とからなり、前記棒状ケーシングは、前記カバー部材に装着され、少なくとも一方側の前記フック部材が前記棒状ケーシングの係止溝に係止されてなる戸閉具としたことにより、上記課題を解決した。
【０００９】
請求項２の発明を、請求項１において、前記カバー部材の長手方向両端には、略板片状の端部取付片が形成され、該端部取付片を介して前記引戸に装着可能とされてなる戸閉具としたことにより、上記課題を解決した。請求項３の発明を、請求項１又は２において、前記棒状ケーシングの中間にガイド部材が固着され、該ガイド部材のガイド部に前記シリンダ部が遊挿されて該シリンダ部は前記ガイド部材に対して摺動自在に構成されてなる戸閉具としたことにより、上記課題を解決した。
【００１０】
請求項４の発明を、請求項１,２又は３のいずれか１項の記載において、前記両フック
部材間の引張り弾性体にて前記フック部材に形成された係止突起が前記係止溝に係止されてなる戸閉具としたことにより、上記課題を解決した。請求項５の発明を、請求項１，２，３又は４のいずれか１項の記載において、前記フック部材は、フック部と回転基部とからなり、前記フック部は、三角状の係止部と立上り状の当接部が凹み部を介して形成され、前記両フック部材の回転基部間に前記引張り弾性体が張設されてなる戸閉具としたことにより、上記課題を解決した。請求項６の発明を、請求項１，２，３，４又は５のいずれか１項の記載において、前記フック部材は、前記シリンダ部の基部端及び前記ピストンロッド先端にそれぞれ設けた取付部材に軸支されてなる戸閉具としたことにより、上記課題を解決した。
【００１１】
請求項７の発明を、長手方向の両端側に係止溝を有する棒状ケーシングと、シリンダ部とピストンロッドとからなる緩衝ダンパと、前記シリンダ部の基部端及び前記ピストンロッド先端にそれぞれ軸支したフック部材と、対向する両フック部材間に設けられた引張り弾性体と、前記緩衝ダンパ，前記フック部材及び前記引張り弾性体の幅方向両側付近を覆うと共に前記フック部材の移動範囲に対応して上面が開口され且つ引戸に固着可能なカバー部材とからなり、前記棒状ケーシングは、前記カバー部材に装着されてなる戸閉具が、引戸の表面側又は裏面側に装着され、該引戸の戸閉する両箇所付近に、前記フック部材が前記棒状ケーシングの係止溝への係止を解除する固定突起が設けられてなり、少なくとも一方側の前記フック部材が前記棒状ケーシングの係止溝に係止されてなる引戸の戸閉装置としたことにより、上記課題を解決した。
【発明の効果】
【００１２】
請求項１の発明では、一枚の引戸を左方向に閉じたり、右方向に閉じるときに、左閉じ用、右閉じ用と２つが必要であったが、１つで、両方の機能を備えることができる最大の利点がある。さらに、戸閉具は、引戸に固着可能なカバー部材を具備したものであり、該カバー部材によって、極めて簡単に引戸に装着することができる。また、前記カバー部材は、前記緩衝ダンパ，前記フック部材及び前記引張り弾性体の幅方向両側付近を覆うと共に前記フック部材の移動範囲に対応して上面が開口されたものであり、カバー部材内に棒状ケーシング等が収納された構成であり、全体を極めてコンパクトにすることができる。したがって、引戸装置の僅かなスペースに容易に装着することができるものである。このように、本発明の戸閉具は、引戸装置の施工完了後、引戸に、いつでも装着自在とし、且つその取付も極めて簡単且つ効率的にできる。
【００１３】
さらに、本発明の戸閉具は、全体が略棒状であり、簡易な構成にでき、且つ安価に提供できる。また、戸閉具は、前述したように、引戸に固着可能なカバー部材と、棒状ケーシングとから構成され、カバー部材によって引戸の所定箇所に容易に装着することができる。しかも、前記カバー部材によって、戸閉具のフック部材，緩衝ダンパ等の主要な構成部材は、外部にむき出し状態とならず、外部から保護される。すなわち、これらの構成部材が戸閉具の外部の物体に直接接触することがなく、故障，破損等の不都合を防止することができる。さらに戸閉具が引戸から外部に露出していないので引戸装置の外観を整然且つ良好なものにすることができる。
【００１４】
請求項２の発明では、戸閉具のカバー部材の長手方向両端には、端部取付片が形成されたものであり、該端部取付片によって、本発明の戸閉具は、引戸に極めて簡易且つ良好な作業効率にて、引戸の適所にビス等の固着具を介して固着することができる。請求項３の発明では、特に、ガイド部材のガイド部に前記シリンダ部が遊挿されて該シリンダ部は前記ガイド部材に対して摺動自在に構成されていることで、安定した動作にできる利点がある。請求項４の発明では、請求項１と略同等の効果を奏するものである。請求項５の発明では、具体的な構成として確実な作用をなす戸閉具を提供できる。請求項６の発明では、その取付構造としては、緩衝ダンパ又はエアダンパに対して簡単にでき、緩衝ダンパ又はエアダンパの装着に極めて好適なものである。
【００１５】
請求項７の発明では、戸閉具を構成する部材に、引戸に固着可能なカバー部材を具備したものであり、該カバー部材によって、本発明を食器棚，陳列棚等の種々の収納家具，キャビネット又は部屋の間仕切りにおける引戸の上部等の適所に装着することができる。そして、一枚の引戸を左方向に閉じたり、右方向に閉じるときに、左閉じ用、右閉じ用と２つ機能を１台で備えることができ、極めてコンパクトにすることができ、引戸装置の僅かなスペースに容易に装着することができるものである。さらに、簡易な構成にでき、安価に提供できる。
【図面の簡単な説明】
【００１６】
【図１】（Ａ）は本発明の正面略示図、（Ｂ）は（Ａ）の高さ方向の一部を省略し、一部切除した拡大図である。
【図２】（Ａ）は本発明における戸閉具の正面図、（Ｂ）は戸閉具の一部断面にした正面図、（Ｃ）は本発明における戸閉具を引戸に装着した要部斜視図、（Ｄ)は（Ｃ）のＸｐ−Ｘｐ矢視断面図である。
【図３】（Ａ）は本発明のカバー部材と棒状ケーシングとを分離した状態の斜視図、（Ｂ）は（Ａ）のＸａ−Ｘａ矢視断面図、（Ｃ）は（Ａ）のＸｂ−Ｘｂ矢視断面図、（Ｄ）は本発明における戸閉具の長手方向一方側の要部拡大斜視図、（Ｅ）は本発明における戸閉具の長手方向他方側の要部拡大斜視図、（Ｆ）はガイド受部材の斜視図である。
【図４】（Ａ）は本発明における戸閉具の一部断面とした正面図、（Ｂ）はフック部材箇所の一部断面とした平面図、（Ｃ）はフック部材及びケーシング本体の一部断面図、（Ｄ）はフック部材箇所の斜視図、（Ｅ）はフック部材の斜視図、（Ｆ）は取付部材の一部切除した斜視図である。
【図５】（Ａ）は本発明における戸閉具の一部の要部拡大正面図、（Ｂ）はフック部材箇所の一部断面とした平面図、（Ｃ）はフック部材箇所の斜視図、（Ｄ）及び（Ｅ）は取付部材の斜視図である。
【図６】（Ａ）は引戸の下端に下ガイド走行部を装着した実施形態の一部切除した本発明の縦断側面図、（Ｂ）は引戸の上端に上ガイド走行部を装着し、上ガイドレールを天井表面より露出した状態で装着した実施形態の一部切除した本発明の縦断側面図、（Ｃ）は引戸の上端に上ガイド走行部を装着し、上ガイドレールを天井内に埋め込み装着し実施形態の一部切除した本発明の縦断側面図、である。
【図７】（Ａ），（Ｂ）は本発明における戸閉具の一部断面とした正面図である。
【図８】緩衝ダンパのシリンダ部，ピストンロッド及び圧力調整部の断面図である。
【図９】（Ａ），（Ｂ），（Ｃ）及び（Ｄ）は左閉じの開始状態の作用図である。
【図１０】（Ａ），（Ｂ），（Ｃ）及び（Ｄ）は左閉じの途中状態の作用図である。
【図１１】（Ａ），（Ｂ），（Ｃ）及び（Ｄ）は左閉じ終了直前及び左閉じ終了状態の作用図である。
【図１２】（Ａ），（Ｂ），（Ｃ）及び（Ｄ）は右閉じの開始状態の作用図である。
【図１３】（Ａ），（Ｂ），（Ｃ）及び（Ｄ）は右閉じの途中状態の作用図である。
【図１４】（Ａ），（Ｂ），（Ｃ）及び（Ｄ）は右閉じ終了直前及び右閉め終了状態の作用図である。
【図１５】カバー部材が装着されない戸閉具の斜視図である。
【図１６】（Ａ）は固定突起の斜視図、（Ｂ）は固定突起の分解斜視図、（Ｃ）は（Ｂ）のＸｃ−Ｘｃ矢視断面図、（Ｄ）は（Ｂ）のＸｄ−Ｘｄ矢視断面図である。
【図１７】（Ａ）は緩衝ダンパとして、液圧タイプとしたものが装着された戸閉具の一部断面にした正面図、（Ｂ）は緩衝ダンパとして、液圧タイプとしたものが装着された戸閉具の一部断面にした平面図、（Ｃ）は緩衝ダンパの要部拡大断面図である。
【図１８】（Ａ）はピストンロッドを取付部材及び安定部に接合する構造を示す一部断面とした要部拡大図、（Ｂ）はピストンロッドを取付部材及び安定部に接合における構成部材の分離した状態を示す一部断面とした拡大図である。
【図１９】（Ａ）はピストンロッドの撓みを防止する構造を示す一部断面にした拡大図、（Ｂ）は（Ａ）の要部拡大図である。
【図２０】（Ａ）は引戸の上部に戸閉具を取付けた本発明の正面図、（Ｂ）は２枚の引戸において一方の引戸には戸閉具が正面側に装着され、他方の引戸には戸閉具が裏面側に装着された状態の横断平面略示図である。
【発明を実施するための最良の形態】
【００１７】
以下、本発明の実施形態を図面に基づいて説明する。まず本発明の戸閉装置における戸閉具Ａは、図１（Ｂ），図２及び図３等に示すように、主に、棒状ケーシング１と、ガイド部材２と、緩衝ダンパ３と、フック部材４と、引張り弾性体５及びカバー部材８とから構成されている。前記棒状ケーシング１は、図２（Ｂ），図３（Ａ）に示すように、長手方向に比較的長さの長いケーシング本体１１と、端部材１２，１２とからなり、該端部材１２には、溝状の係止溝１２ａ，１２ａが形成されている。具体的には、端部材１２の断面両側に同一の溝として、弧状の係止溝１２ａ，１２ａが形成されている。前記引張り弾性体５には、金属性のコイルバネは勿論包含されるが、合成ゴムなどの弾性体も包含されるものである。
【００１８】
前記ガイド部材２は、図３（Ｆ）に示すように、上部に筒状のガイド部２１が形成され、該ガイド部２１の下側に取付片２２，２２が形成されている。該取付片２２，２２を介して前記棒状ケーシング１の前後の辺に取り付けられている。ガイド部２１は、２つの円筒状部２１ａ，２１ａが離間すると共に直線状に隣接する構成となっている。前記緩衝ダンパ３は、図２（Ｂ），図３（Ａ），図７及び図８等に示すように、シリンダ部３１とピストンロッド３２と圧力調整部３３と液体又は気体（空気）とから構成されている。該液体としては、オイル又はジェル状のグリスなどの液体、或いはエア（空気）である。液体の場合、粘性のある液体であれば、前記材質，物質に限定されない。
【００１９】
前記緩衝ダンパ３は、エアダンパ３０として構成されることが多い。そのシリンダ部３１は、これらの液体が漏れることのないように密封性を有している。液体内の該シリンダ部３１内には、必要に応じて復帰スプリングが装着されて、前記ピストンロッド３２がシリンダ部３１から常時突出した状態に維持されるように弾性的に付勢されることがある。前記棒状ケーシング１の中間にガイド部材２が固着され、該ガイド部材２のガイド部２１に前記シリンダ部３１が遊挿されて該シリンダ部３１は前記ガイド部材２に対して摺動自在に構成されている。
【００２０】
前記圧力調整部３３には、液体の流れを速めたり、遅くするような公知の構成が設けられている。また、エア量の制御の前記圧力調整部３３には、図８に示すように、エア量の調整が可能なニードル弁３３ａ及び回転操作部３３ｂが設けられている。３３ｃ，３３ｄはエア抜け孔、３３ｅはエア流通可能な蓋部である。前記ニードル弁３３ａの締め付け、緩めによって、エアの逃げ量を調節して衝撃力に適宜対応するものである。
【００２１】
前記エアダンパ３０として構成された場合には、衝撃吸収が良好にでき、緩衝効果の優れた製品にできると共に、前記圧力調整部３３の調整がし易いものである。また、前記ピストンロッド３２の先端には、安定部３２ａが装着されている〔図４（Ａ），（Ｂ）及び（Ｄ）参照〕。該安定部３２ａは、略長方形の板状部材で、その長手方向が棒状ケーシング１の長手方向に略直交するようにして設けられたものである。前記安定部３２ａは、前記棒状ケーシング１の上端縁に載置され、前記上端縁上を摺動し、ピストンロッド３２の移動を円滑且つ良好なものにできる。
【００２２】
前記フック部材４は、前記シリンダ部３１の基部端〔図２（Ａ），（Ｂ）において右側端〕及び前記ピストンロッド３２先端〔図２（Ａ），（Ｂ）において左側端〕に、直接又は取付部材６，７を介してそれぞれ軸支４２ａされている。前記フック部材４は、ほぼＵ字形のフック部４１と回転基部４２と係止突起４３とで構成されている。具体的には、図４に示すように、前記フック部４１は、先端側で三角状の係止部４１ａの後部側に、立上り状の当接部４１ｃが凹み部４１ｂを介して形成されている。つまり、三角状の係止部４１ａと凹み部４１ｂと当接部４１ｃとでほぼＵ字形をなしている。前記凹み部４１ｂには、適宜の位置に固定されている被当接片（後述の固定突起９等）が挿入係止される。該被当接片は、食器棚，本棚，陳列棚等の種々の収納家具，キャビネット又は部屋の間仕切りにおける引戸１００の戸閉側の近辺に取り付けられている。
【００２３】
さらに、前記フック部材４は、前記シリンダ部３１の基部端〔図２（Ａ），（Ｂ）において右側端〕には取付部材６が、前記ピストンロッド３２先端〔図２（Ａ），（Ｂ）において左側端〕には取付部材７がそれぞれ介して回転可能に軸支４２ａされている。前記取付部材６は、逆Ｔ字形部６１，６１を左右対称に設けてこの後部が連結片６２にて結合されて構成されている。該連結片６２箇所中央に、前記引張り弾性体５の両端側の端部係合部５１，５１を係合する係合溝６２ａが形成されている。
【００２４】
前記フック部材４の回転基部４２が、前記シリンダ部３１の基部端（図２において右側端）の取付部材７に軸支４２ａされている。また、図４（Ｆ）に示すように、前記取付部材７は上から見て断面コ字状をなした本体部７１で構成され、後部壁片の下側に、前記引張り弾性体５の他方側の端部係合部５１を係合する係合溝７１ａが形成されている。前記引張り弾性体５は、引張りコイルバネ５２として使用されることが多い。
【００２５】
また、図４（Ｄ）及び（Ｅ）に示すように、前記フック部材４の係止突起４３，４３は、前記フック部４１の先端側の左右側に飛び出して形成されている。該係止突起４３は、前記棒状ケーシング１の係止溝１２ａに係止可能に構成されている。本発明の戸閉具は、通常の状態では、図２（Ｂ）に示すように、両フック部材４，４間である、取付部材６，７間に、前記引張り弾性体５が張設されている。この発明において、極めて重要な点は、戸閉具Ａとして極めて単純な形状・構造であると共に、開閉ドアなどに対して、右側閉じでも、左側閉じでも良好にでき、本発明品一つのみの少ない部材で良好に対応できる発明である。
【００２６】
次にカバー部材８は、前記棒状ケーシング１に装着し、該棒状ケーシング１と共に引戸１００に固着可能とした部材である。前記カバー部材８は、図２，図３（Ａ）乃至（Ｅ）等に示すように、断面略門形状に形成されたもので、幅方向両側に側面部８１，８１及び上面部８２から構成されたものであり、該上面部８２の幅方向両側に側面部８１が一体形成されたものである。前記カバー部材８は、その長手方向が前記棒状ケーシング１の長さに略等しく形成されている。カバー部材８の両側面部８１，８１は平行であり、図２（Ｃ）及び図３（Ｄ），（Ｅ）等に示すように、前記棒状ケーシング１の両立上り側部１１ａ，１１ａを挟持することができる構成となっている。
【００２７】
そして、カバー部材８の両側面部８１，８１を前記立上り側部１１ａ，１１ａにビス等の固着具８５によって、締付固定する。前記両側面部８１，８１には、前記固着具８５のための複数の貫通孔８１ａ，８１ａ，…が形成され、前記棒状ケーシング１の立上り側部１１ａ，１１ａには、前記カバー部材８の貫通孔８１ａ，８１ａ，…の形成箇所に対応する位置に前記固着具８５に螺合する螺子孔１１ｂ，１１ｂ，…が形成されている〔図３（Ａ）参照〕。このような構成により、カバー部材８は、棒状ケーシング１の上方から被せられるようにして、前述したように、カバー部材８の両側面部８１，８１にて前記棒状ケーシング１の両立上り側部１１ａ，１１ａを挟持しつつ、前記貫通孔８１ａと前記螺子孔１１ｂとの位置を合わせて、ビス等の固着具８５を前記貫通孔８１ａに挿入し、螺子孔１１ｂに締め付けて棒状ケーシング１にカバー部材８を接合固着する〔図２（Ｄ）参照〕。
【００２８】
前記上面部８２は、図２，図３（Ｄ），（Ｅ）等に示すように、棒状ケーシング１内に装着された前記緩衝ダンパ３，前記フック部材４及び前記引張り弾性体５の幅方向両側付近を覆うものである。また、上面部８２には前記両フック部材４，４のそれぞれの移動範囲に対応して開口箇所が設けられている。該開口箇所は、切欠き部８３と称される〔図２（Ｂ），（Ｃ）及び図３（Ａ），（Ｂ），（Ｄ），（Ｅ）参照〕。該切欠き部８３には、固定突起９が入り込む突起部の先端が入り込むことができ、且つ前記フック部材４とカバー部材８内で当接することができ、これによって前記フック部材４は揺動動作を行うことができる〔図９（Ｃ），（Ｄ），図１０（Ａ），（Ｂ）等参照〕。
【００２９】
カバー部材８は、棒状ケーシング１に装着されたフック部材４，緩衝ダンパ３及び引張り弾性体５を保護することができるものであり、引戸装置への装着時に前記フック部材４，緩衝ダンパ３及び引張り弾性体５等の内部の構成部材に手を触れることなく設置することができる。前記カバー部材８の長手方向両端には、図２，図３（Ａ），（Ｄ），（Ｅ）及び図７等に示すように、略板片状の端部取付片８４が形成されている。
【００３０】
該端部取付片８４は、戸閉具Ａを引戸１００に装着する役目をなす部位である。前記端部取付片８４は、具体的には、略長方形状の板片に形成されたものであり、両側面部８１，８１のいずれか一方に形成されており、且ついずれか一方側面部８１の長手方向両端に形成されるものである（図２，図３参照）。さらに、端部取付片８４の面は、前記側面部８１の面と同一面になるように形成されたものである〔図２（Ｃ），図３（Ａ），（Ｄ），（Ｅ）及び図４（Ａ）参照〕。
【００３１】
前記端部取付片８４には、ビス等の固着具８６用の取付貫通孔８４ａが穿孔されている。そして、前記端部取付片８４と固着具８６を介して、戸閉具Ａが前記引戸１００の高さ方向の略上端位置付近或いは略下端位置付近に装着固定されるものである〔図1，図２（Ｃ）及び図６等参照〕。また、前記戸閉具Ａにおいて、前記カバー部材８が装着されないこともある（図１５参照）。この場合には、前記棒状ケーシング１の長手方向両端の端部材１２に端部取付片１２ｂが一体形成され、該端部取付片１２ｂによって、引戸１００に戸閉具Ａが装着されることになる。
【００３２】
図１６は、固定突起９の実施形態を示すものである。固定突起９は、図１６（Ａ），（Ｂ）に示すように、複数の部材から構成され、突起部材９１，ベース部材９２，押え部材９３から構成されている。前記突起部材９１は、弾性を有する部材であるが、フック部材４と衝突することに十分に耐えうる部材であり、硬質ゴム、合成樹脂等から形成されている。突起部材９１には突起片９１ａ，基板部９１ｂからなり、突起片９１ａは、略台形状の板片として形成され、前記基板部９１ｂは、小片であり前記突起部材９１に対して直角に形成されている。さらに該基板部９１ｂの一部にはストッパ９１ｃが形成されている〔図１６（Ｂ）参照〕。
【００３３】
前記ベース部材９２は、略長方形状の板体として形成されたものであり、その長手方向に沿って略長孔状の挿入孔９２ａが形成されている。該挿入孔９２ａの幅方向両側には補強リブ９２ｂ，９２ｂが形成され、該補強リブ９２ｂ，９２ｂは、台形状に形成されている。さらに、ベース部材９２には、螺子孔９２ｄが２個形成されている〔図１６（Ｄ）参照〕。前記ベース部材９２の挿入孔９２ａに、前記突起部材９１の基板部９１ｂが挿入され、ストッパ９１ｃがベース部材９２の裏面側にて当接する〔図１６（Ｃ）参照〕。
【００３４】
突起部材９１の突起片９１ａは、両補強リブ９２ｂ，９２ｂによって挟持された状態となる。また前記突起片９１ａは、補強リブ９２ｂよりも面積が広く形成されており、ベース部材９２に突起部材９１を装着した状態で突起片９１ａの周囲は補強リブ９２ｂ，９２ｂの周囲から僅かに突出するようになっている。突起片９１ａは、両補強リブ９２ｂ，９２ｂによって補強されることとなり、突起片９１ａが前記フック部材４と衝突したときの衝撃に十分に耐えうるようにしている。前記ベース部材９２の螺子孔９２ｄにビス等の固着具９４が挿入され、上ガイドレール１０２及びその付近に装着される（図６参照）。
【００３５】
具体的には、上ガイドレール１０２が天井に設けた方形凹状の場合には、その天井に前記固定突起９のベース部材９２が固着される〔図６（Ａ）参照〕。さらに、天井に金属形材からなる上ガイドレール１０２が埋め込まれたタイプの場合には、同様にその天井に前記固定突起９のベース部材９２が固着される〔図６（Ｃ）参照〕。また、上ガイドレール１０２が略全体が露出した状態で天井に装着されるタイプの場合には、ブラケット９５が使用される。該ブラケット９５は、断面略Ｌ字形状の金属製形材等が使用される〔図６（Ｂ）参照〕。
【００３６】
そして、前記ブラケット９５の一方の板片が前記上ガイドレール１０２の外側面にビス等の固着具にて固着され、前記ブラケット９５の他方の板片に前記固定突起９のベース部材９２がビス等の固着具９４にて固着される〔図６（Ｂ）参照〕。また、引戸１００が２枚設けられる引戸装置の場合には、一方の引戸１００には、その表面側１００ｃ（或いは外面側）に装着され、他方の引戸１００には、その裏面側１００ｄ（或いは内面側）に装着される〔図２０（Ｂ）参照〕。
【００３７】
本発明の戸閉具Ａを、引戸１００に取付けた構成について図６乃至図１４にて説明する。引戸１００には、移動方向に走行させるための走行手段が装着される。この走行手段の具体例としては、引戸１００の下端１００ｂに、下ガイド走行部１０４が装着されたものである。該下ガイド走行部１０４は、戸車タイプのものであり、床ガイドレール１０３によって案内されるものであり、前記下ガイド走行部１０４の車輪１０４ａの幅方向中央に円周溝部１０４ｂが形成されており、該円周溝部１０４ｂに前記床ガイドレール１０３が遊挿状態で係合する構成となっている。引戸１００の上端１００ａは、前記上ガイドレール１０２によって、支持されている〔図６（Ａ）参照〕。  
【００３８】
また、走行手段の別のタイプとしては、前記引戸１００に、上ガイド走行部１０５が具備されたものである。上ガイド走行部１０５は、天井又は天板状材などに設けられた上ガイドレール１０２に転動可能に構成されている。前記上ガイド走行部１０５は、前記上ガイドレール１０２に対応するハングローラタイプとしたもので、上ガイドレール１０２に装着された上ガイド走行部１０５によって、引戸１００が上ガイドレール１０２に吊り下げられながら移動方向に自在に移動することができるようになっている。前記上ガイド走行部１０５は、走行本体部１０５ａとローラ部１０５ｂ，１０５ｂとから構成されている〔図６（Ｂ）参照〕。
【００３９】
本発明において戸閉具Ａを、引戸１００に取付けた引戸の戸閉装置の構成について、図９乃至図１４及び図２０にて説明する。本発明の戸閉具Ａが１個で、図１，図６に示すような、部屋における間仕切りの引戸１００又は食器棚，本棚，陳列棚等の種々の収納家具，キャビネットの引戸１００において、左閉じ、右閉じに対応できる作用について図９乃至図１４に基づき説明する。左閉じ作用とは、図９乃至図１１及び図２０（Ａ）において、左側の閉鎖部に当接させる場合である。また、戸閉側及び戸開側の概念もあり、図９乃至図１１及び図２０において、右側から左側に向かう方向が戸閉側であるが、図２０の場合には、左右側のどちらでも戸閉側又は戸開側となるため、本明細書においては、左閉じ又は左閉じ開放、右閉じ又は右閉じ開放という説明で行なう。なお、図２０において、Ｗ０は、左右側に自由な速度（高速など）に移動できるフリー状態の領域、Ｗ１は左閉じ又は右閉じの際において、引戸１００を移動させるときの低速度領域である。
【００４０】
まず、左閉じの作用を、図９乃至図１１にて説明する。図９に示すように、左右側の前記フック部材４，４の係止突起４３が、前記棒状ケーシング１の左右側の係止溝１２ａに係止した状態を保持して引戸１００は移動可能となっている。前記フック部材４の係止突起４３が係止溝１２ａに係止した位置を定位置とする。この場合、定位置は、左側及び右側が存在する。そして、開き状態の引戸１００が、図９（Ａ）において左方向に勢いの良い速度Ｖで移動する。この詳細状態が図９（Ｂ）に示す通りである。
【００４１】
次いで、フック部材４が、固定突起９に近接して、その瞬間に、図９（Ｃ）及び（Ｄ）に示すように、固定突起９に前記フック部材４の当接部４１ｃが当接する。この瞬間に、図１０（Ａ）及び（Ｂ）に示すように、前記フック部材４を回転させる。このときに、前記固定突起９に前記フック部材４が係止する。つまり、前記固定突起９と前記フック部材４とは一体化する。さらに、この瞬間に、引戸１００の荷重と加速度とが加わって、フック部材４に対して衝撃状態となって、その衝撃力を前記緩衝ダンパ３にて緩衝する。この作用を詳述する。
【００４２】
この緩衝作用は、緩衝ダンパ３にて、勢いのある速度Ｖを、低速度ｖに急激に低下させると同時に、引戸１００の位置も戸閉め側に瞬時に近づけることができる。つまり、緩衝時に距離Ｌｘだけピストンロッド３２が縮み作用をなす。図１０（Ａ）及び（Ｂ）の状態から図１０（Ｃ）及び（Ｄ）の状態になるのに、瞬時（１００分の数秒以下）に緩衝作用をなす。簡単に説明すると、図１０（Ａ）及び（Ｂ）の状態と、図１０（Ｃ）及び（Ｄ）の状態とは略同時に行なわれる。
【００４３】
緩衝ダンパ３のピストンロッド３２がシリンダ部３１に引き込む動作を行なう場合には、内部に充填された液体やエアが抵抗力Ｒとなり、前記引張り弾性体５の弾性力Ｆを減少させ、これによってフック部材４の戸閉方向の速度を減少させ、前記棒状ケーシング１の後方側に移動させる役目をなすものである。そして、図１０（Ｃ）及び（Ｄ）の低速度ｖとなってからは、今度は、引張り弾性体５の弾性力Ｆにて、低速度ｖにて引戸１００を移動させる。つまり、緩衝ダンパ３による抵抗力Ｒ（衝撃時でない通常速度のとき）とすると、引張り弾性体５の弾性力Ｆからピストンロッド３２を縮ませつつの抵抗力Ｒを除いた力が引戸１００を引く力：Ｐとなる。すなわち、Ｐ＝Ｆ−Ｒとなる。
【００４４】
かなり、ゆっくりとした速度ｖで、図１１（Ａ）及び（Ｂ）の状態のように、戸閉じの作用をなす。図１１の（Ａ）及び（Ｂ）では、戸閉側に当たらんとしているが、低速度ｖでさらに左側に移動する。そして、図１１（Ｃ）及び（Ｄ）の状態のように、引戸１００の左辺が戸閉側に当接して移動が停止する。このときにも、ピストンロッド３２が完全に縮んだ状態ではなく、少しのストロークであっても残存していることが必要である。この状態でなければ、引張り弾性体５の弾性力Ｆにての戸閉作用は生じない。
【００４５】
特に、図１１（Ｃ）及び（Ｄ）の状態では、前記固定突起９と前記フック部材４とは一体化しつつ前記引張り弾性体５の弾性力で、前記フック部材４は左回転して一体化を解除する方向にならんとするが、該フック部材４の係止突起４３，４３が、前記棒状ケーシング１の左右側の立上り側部１１ａ，１１ａの上縁に接触しつつ摺動自在となり、フック部材４は解除できないように構成されている。以上の左閉じの作用の状態では、前記フック部材４の係止突起４３が係止溝１２ａに係止した右側が定位置として機能する。さらに、前記引張り弾性体５にて付勢された前記フック部材４が係止溝１２ａに係止されないときには、前記フック部材４は前記固定突起９に係止するように構成され、且つ前記フック部材４は可動する。
【００４６】
次に、左閉じ解除の作用を説明する。これは、図１１（Ｃ）及び（Ｄ）の状態から、図９（Ａ）及び（Ｂ）に示すように、逆に行なう。まず、図１１（Ｃ）及び（Ｄ）の状態から、右方向に引戸１００を移動させる。前述したように、引戸１００には、Ｐ（＝Ｆ−Ｒ）なる力が左方向に加わっているため、そのＰなる力より大きな力で、右方向に引戸１００を移動させる。さらに、前記ピストンロッド３２を伸ばしつつ、図１１（Ａ）及び（Ｂ）の状態から図１０（Ｃ）及び（Ｄ）の状態へ、さらに、同図１０（Ｃ）及び（Ｄ）の状態から図９（Ａ）及び（Ｂ）の状態に移動させる。
【００４７】
図１０（Ａ）及び（Ｂ）の状態になった瞬間に、図９（Ｃ）及び（Ｄ）に示すように、前記フック部材４の係止突起４３が前記棒状ケーシング１の左側の係止溝１２ａ位置となると同時に、前記フック部材４の係止突起４３が左回転して、前記棒状ケーシング１の左側の係止溝１２ａに係止する。このとき、図２（Ｂ）又は図９（Ａ）及び（Ｂ）に示すように、前記フック部材４の係止突起４３が前記棒状ケーシング１の左右側の係止溝１２ａ，１２ａに係止してその戸閉具のＰ（＝Ｆ−Ｒ）なる力は働かないようになり、つまり、引戸１００は急に軽くなって移動させることができる。該引戸１００の状態が、左閉じ用の力Ｐ（＝Ｆ−Ｒ）の解除の状態である。
【００４８】
次に、右閉じの作用を、図１２乃至図１４にて説明する。図１２（Ａ）及び（Ｂ）に示すように、左右側の前記フック部材４，４の係止突起４３が、前記棒状ケーシング１の左右側の係止溝１２ａに係止した状態を保持して引戸１００は移動可能となっている。この状態は、左閉じの図９（Ａ）と同一である。そして、開き状態の引戸１００を、図１０（Ａ）において右方向に勢いの良い速度Ｖで移動する。この詳細状態が図１２（Ｂ）に示す通りである。
【００４９】
そしてフック部材４が、固定突起９に近接して、その瞬間に、図１２（Ｃ）及び（Ｄ）に示すように、固定突起９に前記フック部材４の当接部４１ｃが当接する。この瞬間に、図１３（Ａ）及び（Ｂ）に示すように、前記フック部材４を左回転させる。このときに、前記固定突起９と前記フック部材４とは一体化する。さらに、この瞬間に、引戸１００の荷重と加速度とが加わって、フック部材４に対して衝撃状態となって、その衝撃力を前記緩衝ダンパ３にて緩衝する。この作用は、左閉じの作用と同じ作用をなすが、今度は可動部材の役割が一変する。
【００５０】
この緩衝作用は、緩衝ダンパ３にて、勢いの良い速度Ｖを、低速度ｖに速度を急激に低下させると同時に、引戸１００の位置も戸閉め側に瞬時に近づけることができる。つまり、緩衝時に距離Ｌｘだけピストンロッド３２が縮み作用をなす。確かに、該ピストンロッド３２が縮み作用であるが、該ピストンロッド３２先端は固定状態となっており、シリンダ部３１がガイド部２１内を移動する。以後、その先端は固定状態を保持する。次いで、図１３（Ａ）及び（Ｂ）の状態から図１３（Ｃ）及び（Ｄ）の状態になるのに、瞬時（１００分の数秒以下）に緩衝作用をなす。簡単に説明すると、図１３（Ａ）及び（Ｂ）の状態と、図１３（Ｃ）及び（Ｄ）の状態とはほぼ同時に行なわれる。
【００５１】
そして、図１３（Ｃ）及び（Ｄ）の低速度ｖとなってからは、今度は、引張り弾性体５の弾性力Ｆにて、低速度ｖにて引戸１００を移動させるものであり、この点は、前述の左閉じの作用と同じである。さらに、図１４（Ａ）及び（Ｂ）の状態から図１４（Ｃ）及び（Ｄ）の状態の右閉じ完了までも、シリンダ部３１がガイド部２１内を移動する点を除いて、前述の左閉じの作用と同じである。このため、その説明を省略する。
【００５２】
以上の右閉じの作用の状態では、前記フック部材４の係止突起４３が係止溝１２ａに係止した左側が定位置として機能する。また、右閉じ解除の作用を説明する。これは、図１４（Ｃ）及び（Ｄ）の状態から、図１２（Ａ）及び（Ｂ）に示すように、逆に行なうものであり、シリンダ部３１がガイド部２１内を移動する点を除いて、前述の左閉じの解除作用と同じであり、この説明を省略する。また、本発明の戸閉具は、引戸１００の下部に取付けることも可能である。この場合では、引戸１００の下部側のガイドレールに突出する前記固定突起９が設けられ、引戸１００の動作は、上部に本発明を取付けた場合と同様であり、説明を省略する。
【００５３】
図１７乃至図１９は、緩衝ダンパ３の液圧タイプとしたものであり、前述したように、シリンダ部３１内に液体として、オイル又はジェル状のグリスなどの液体が充填されている。シリンダ部３１は、シリンダ収納ケース３１ａに収納されて使用される。該シリンダ収納ケース３１ａは、円筒形状に形成され、内部には緩衝ダンパ３のシリンダ部３１が固定されつつ収納されている。そして、前記ピストンロッド３２は、シリンダ収納ケース３１ａから外部に突出した構成となっている。緩衝ダンパ３は、販売（又は市販）されている既存のものが使用される場合もあり、この種のものには、ピストンロッド３２の軸径は大径のものから細径のものまで種々存在する。
【００５４】
前記シリンダ収納ケース３１ａは、既存の緩衝ダンパ３を使用する場合に、その既存のシリンダ部３１ｂの直径が小さく、そのままでは前記ガイド部材２の円筒状部２１ａにガタツキなく摺動自在に収納されない場合に使用することができる。すなわち、シリンダ収納ケース３１ａの直径を前記ガイド部材２の円筒状部２１ａに滑らかに摺動自在となるように形成しておくと、既存の緩衝ダンパ３のシリンダ部３１ｂをシリンダ収納ケース３１ａに収納して使用することで、多数の異なる直径サイズの既存の緩衝ダンパ３のシリンダ部３１ｂを使用することができるものである。
【００５５】
前記ピストンロッド３２には、弁部材３２１が装着され、オリフィス孔３２１ａが形成され、該オリフィス孔３２１ａを介して液体の流れを制御するものである〔図１７（Ｃ）参照〕。ピストンロッド３２の先端部分は、前記取付部材７及び前記安定部３２ａに接合される部位であり、ピストンロッド３２の軸径が特に小さい針金状のものにおける接合構造としては、以下の構造としたものが存在する。ピストンロッド３２には、第１接合部材３４，第２接合部材３５、止め輪３６及びワッシャー３７が使用される〔図１７（Ａ），（Ｂ），図１８参照〕。前記第１接合部材３４，第２接合部材３５は、それぞれ外形を６角形とした略ナット形状に形成されたものであり、前記第１接合部材３４は、軸方向に沿って内螺子部３４ａと貫通孔３４ｂが形成されている。該貫通孔２２は、前記内螺子部３４ａの内径よりも小さい直径に形成されたものであり、前記ピストンロッド３２が貫通するように形成されている。
【００５６】
前記内螺子部３４ａは、前述したように前記貫通孔３４ｂよりも内径が大なるものである。内螺子部３４ａの内径は、前記止め輪３６及びワッシャー３７が収納される程度の大きさである。前記第２接合部材３５には、その軸方向に沿って外螺子部３５ａが形成され、該外螺子部３５ａの内部には、軸方向に沿って軸貫通孔３５ｂが形成されている。該軸貫通孔３５ｂの軸方向の端部で、且つ前記外螺子部３５ａが形成された側とは反対側に位置する側には接合用内螺子部３５ｃが形成されている。
【００５７】
該接合用内螺子部３５ｃは、前記ピストンロッド３２の先端を、前記取付部材７と前記安定部３２ａとをビス等の固着具３８によって、接合させるための役目をなす内螺子である。前記ピストンロッド３２には、先端部分の周方向に沿って円周溝３２ｂが形成される。そして、ピストンロッド３２の軸部分を、前記第１接合部材３４の貫通孔３４ｂ及び１つのワッシャー３７に挿入してから、前記ピストンロッド３２の円周溝３２ｂに前記止め輪３６が嵌合装着される。
【００５８】
そして、さらに別のもう一つのワッシャー３７を用意し、前記ピストンロッド３２を挿入させ、前記止め輪３６を２つのワッシャー３７，３７で挟持する状態とする。このような状態としながら第１接合部材３４の軸貫通孔３５ｂに前記ピストンロッド３２の先端部を僅かに挿入しつつ、第１接合部材３４の内螺子部３４ａに第２接合部材３５の外螺子部３５ａを螺合させる。さらに、第２接合部材３５と前記取付部材７とを接合させつつ、ビス等の固着具の螺子部を前記第２接合部材３５の接合用内螺子部３５ｃに螺合させて、取付部材７と安定部３２ａに第２接合部材３５を接合固着させる〔図１８（Ａ），図１９（Ｂ）参照〕。
【００５９】
特に、ピストンロッド３２の軸径が細径のものである場合には、初期設定において、フック部材４の係止突起４３を棒状ケーシング１の係止溝１２ａに係止する作業を行う際に、フック部材４の動作と共に、前記ピストンロッド３２が軸方向において撓む可能性が有る。このようなピストンロッド３２の撓みが発生し易いのは、ピストンロッド３２が針金程度に細い直径の場合である。
【００６０】
そこで、前記第１接合部材３４，第２接合部材３５，止め輪３６及び２個のワッシャー３７とによって、前記取付部材７及び安定部３２ａとの連結箇所であるピストンロッド３２の軸方向先端部分が軸方向に強固に支持補強され、図１９に示すように、該ピストンロッド３２は極めて曲がり難い構造にすることができる。そのため、特にフック部材４の係止突起４３を棒状ケーシング１の係止溝１２ａに係止させるために、ピストンロッド３２側のフック部材４を強制的に棒状ケーシング１の係止溝１２ａの位置に移動させる必要のあるセッティングの場合等には、ピストンロッド３２自体が補強されているので、極めて安定した状態で且つ効率的にセッティング作業ができるものである。
【符号の説明】
【００６１】
Ａ…戸閉具、１…棒状ケーシング、１２ａ…係止溝、２…ガイド部材、
３…緩衝ダンパ、３１…シリンダ部、３２…ピストンロッド、４…フック部材、
４２…回転基部、５…引張り弾性体、８…カバー部材、８４…端部取付片、
９…固定突起、１００…引戸。
【図１】
2010255299.tif 000003
【図２】
2010255299.tif 000004
【図３】
2010255299.tif 000005
【図４】
2010255299.tif 000006
【図５】
2010255299.tif 000007
【図６】
2010255299.tif 000008
【図７】
2010255299.tif 000009
【図８】
2010255299.tif 000010
【図９】
2010255299.tif 000011
【図１０】
2010255299.tif 000012
【図１１】
2010255299.tif 000013
【図１２】
2010255299.tif 000014
【図１３】
2010255299.tif 000015
【図１４】
2010255299.tif 000016
【図１５】
2010255299.tif 000017
【図１６】
2010255299.tif 000018
【図１７】
2010255299.tif 000019
【図１８】
2010255299.tif 000020
【図１９】
2010255299.tif 000021
【図２０】
2010255299.tif 000022